【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
睡眠セッション中に被験者の覚醒を促すシステムであって、
前記睡眠セッション中に前記被験者に電気刺激、磁気刺激及び／又は感覚刺激を与える１つ以上の感覚刺激装置と、
前記被験者の脳活動、中枢神経系の活動及び／又は末梢神経系の活動に関する情報を伝達する出力信号を生成する１つ以上のセンサと、
１つ以上のハードウェアプロセッサと、
を含み、
前記１つ以上のハードウェアプロセッサは、機械可読命令によって、
前記被験者の目標起床時間を受信し、
前記出力信号に基づいて、前記睡眠セッション中の前記被験者の１つ以上の活動パラメータを決定し、
前記１つ以上の活動パラメータが、前記目標起床時間の所定の時間量前に前記被験者が熟睡状態にあることを示すかどうかを決定し、前記目標起床時間前の前記所定の時間量は、前記被験者と人口統計学的に類似の被験者に対する推奨される熟睡継続時間を指定する外部データに基づいて決定され、
前記１つ以上の活動パラメータが、前記被験者は熟睡状態にあることを示すことに反応して、前記１つ以上の感覚刺激装置に、刺激の頻度及び／又は強度を制御させて、前記被験者の前記１つ以上の活動パラメータを誘導し、前記被験者が前記目標起床時間において又はその付近で自然に目覚めるように、前記目標起床時間の前の深い眠りから浅い眠りへの移行を促す、システム。
【請求項２】
前記１つ以上のハードウェアプロセッサは、前記１つ以上の活動パラメータが、前記被験者の所定の周波数帯域における脳波（ＥＥＧ）パワーに関連するように構成され、前記刺激の前記頻度及び／又は前記強度を制御することは、前記被験者の前記所定の周波数帯域における前記ＥＥＧパワーに影響を与え、深い眠りから浅い眠りへの段階的な移行を促す、請求項１に記載のシステム。
【請求項３】
前記１つ以上のハードウェアプロセッサは、深い眠りから浅い眠りへの前記移行が、レム又はノンレム段階３の睡眠から、ノンレム段階２及び／又はノンレム段階１の睡眠への移行を含むように構成される、請求項１に記載のシステム。
【請求項４】
前記１つ以上のハードウェアプロセッサは更に、前記目標起床時間において、前記被験者が目覚めているかどうかを決定し、前記被験者が、前記目標起床時間において、浅い眠りの状態のままであることに応えて、前記１つ以上の感覚刺激装置に、前記電気刺激、前記磁気刺激及び／又は前記感覚刺激の前記頻度及び／又は前記強度を制御させて、前記被験者を目覚めさせる、請求項１に記載のシステム。
【請求項５】
前記１つ以上の感覚刺激装置は、前記電気刺激、前記磁気刺激及び／又は前記感覚刺激が、聴覚刺激、視覚刺激、電気刺激、磁気刺激又は体性感覚刺激の１つ以上を含むように構成される、請求項１に記載のシステム。
【請求項６】
前記１つ以上のセンサは、脳波図（ＥＥＧ）電極、眼電図（ＥＯＧ）電極、アクティグラフィセンサ、心電図（ＥＫＧ）電極、呼吸センサ、圧力センサ、バイタルサインカメラ、フォトプレチスモグラム（ＰＰＧ）センサ、温度センサ又は機能的近赤外（ｆＮＩＲ）センサの１つ以上を含む、請求項１に記載のシステム。
【請求項７】
１つ以上の感覚刺激装置と、１つ以上のセンサと、１つ以上のハードウェアプロセッサとを含む覚醒システムを用いて睡眠セッション中に被験者の覚醒を促す方法であって、
前記１つ以上のハードウェアプロセッサを用いて、前記被験者の目標起床時間を受信するステップと、
前記１つ以上のセンサを用いて、前記被験者の脳活動、中枢神経系の活動及び／又は末梢神経系の活動に関する情報を伝達する出力信号を生成するステップと、
前記１つ以上のハードウェアプロセッサを用いて、前記出力信号に基づいて、前記睡眠セッション中の前記被験者の１つ以上の活動パラメータを決定するステップと、
前記１つ以上のハードウェアプロセッサを用いて、前記１つ以上の活動パラメータが、前記目標起床時間の所定の時間量前に前記被験者が熟睡状態であることを示すかどうかを決定するステップであって、前記目標起床時間前の前記所定の時間量は、前記被験者と人口統計学的に類似の被験者に対する推奨される熟睡継続時間を指定する外部データに基づいて決定される、ステップと、
前記１つ以上の活動パラメータが、前記被験者は熟睡状態であることを示すことに応えて、前記１つ以上のハードウェアプロセッサを用いて、前記１つ以上の感覚刺激装置に、前記被験者に与えられる電気刺激、磁気刺激及び／又は感覚刺激の頻度及び／又は強度を制御させて、前記被験者の前記１つ以上の活動パラメータを誘導し、前記被験者が前記目標起床時間において又はその付近で自然に目覚めるように、前記目標起床時間の前の深い眠りから軽い眠りへの移行を促すステップと、
を含む、方法。
【請求項８】
前記１つ以上の活動パラメータは、前記被験者の所定の周波数帯域における脳波（ＥＥＧ）パワーに関連し、前記刺激の前記頻度及び／又は前記強度を制御することは、前記被験者の前記所定の周波数帯域における前記ＥＥＧパワーに影響を与えて、深い眠りから浅い眠りへの段階的な移行を促す、請求項７に記載の方法。
【請求項９】
深い眠りから浅い眠りへの前記移行は、レム又はノンレム段階３の睡眠から、ノンレム段階２及び／又はノンレム段階１の睡眠への移行を含む、請求項７に記載の方法。
【請求項１０】
前記１つ以上のハードウェアプロセッサを用いて、前記目標起床時間において、前記被験者が目覚めているかどうかを決定するステップを更に含み、前記被験者が、前記目標起床時間において、浅い眠りの状態のままであることに応えて、前記１つ以上のハードウェアプロセッサを用いて、前記１つ以上の感覚刺激装置に、刺激の前記頻度及び／又は前記強度を制御させて、前記被験者を目覚めさせる、請求項７に記載の方法。
【請求項１１】
前記電気刺激、前記磁気刺激及び／又は前記感覚刺激は、聴覚刺激、視覚刺激、電気刺激、磁気刺激又は体性感覚刺激の１つ以上を含む、請求項７に記載の方法。
【請求項１２】
前記１つ以上のセンサは、脳波図（ＥＥＧ）電極、眼電図（ＥＯＧ）電極、アクティグラフィセンサ、心電図（ＥＫＧ）電極、呼吸センサ、圧力センサ、バイタルサインカメラ、フォトプレチスモグラム（ＰＰＧ）センサ、温度センサ又は機能的近赤外（ｆＮＩＲ）センサの１つ以上を含む、請求項７に記載の方法。
【請求項１３】
睡眠セッション中に被験者の覚醒を促すシステムであって、
前記被験者の目標起床時間を受信する手段と、
前記被験者の脳活動、中枢神経系の活動及び／又は末梢神経系の活動に関する情報を伝達する出力信号を生成する手段と、
前記出力信号に基づいて、前記睡眠セッション中の前記被験者の１つ以上の活動パラメータを決定する手段と、
前記１つ以上の活動パラメータが、前記目標起床時間の所定の時間量前に前記被験者は熟睡状態であることを示すかどうかを決定する手段であって、前記目標起床時間前の前記所定の時間量は、前記被験者と人口統計学的に類似の被験者に対する推奨される熟睡継続時間を指定する外部データに基づいて決定される、手段と、
前記１つ以上の活動パラメータが、前記被験者は熟睡状態であることを示すことに応えて、電気刺激、磁気刺激及び／又は感覚刺激を生成する手段に、前記被験者に与えられる電気刺激、磁気刺激及び／又は感覚刺激の頻度及び／又は強度を制御させて、前記被験者の前記１つ以上の活動パラメータを誘導し、前記被験者が前記目標起床時間において又はその付近で自然に目覚めるように、前記目標起床時間の前の深い眠りから軽い眠りへの移行を促す手段と、
を含む、システム。
【請求項１４】
前記１つ以上の活動パラメータは、前記被験者の所定の周波数帯域における脳波（ＥＥＧ）パワーに関連し、刺激の前記頻度及び／又は前記強度を制御することは、前記被験者の前記所定の周波数帯域における前記ＥＥＧパワーに影響を与えて、深い眠りから浅い眠りへの段階的な移行を促す、請求項１３に記載のシステム。
【請求項１５】
深い眠りから浅い眠りへの前記移行は、レム又はノンレム段階３の睡眠から、ノンレム段階２及び／又はノンレム段階１の睡眠への移行を含む、請求項１３に記載のシステム。
【請求項１６】
前記目標起床時間において、前記被験者が目覚めているかどうかを決定する手段と、前記被験者が、前記目標起床時間において、浅い眠りの状態のままであることに応えて、前記電気刺激、前記磁気刺激及び／又は前記感覚刺激を生成する前記手段に、刺激の前記頻度及び／又は前記強度を制御させて、前記被験者を目覚めさせる手段と、を更に含む、請求項１３に記載のシステム。
【請求項１７】
前記電気刺激、前記磁気刺激及び／又は前記感覚刺激が、聴覚刺激、視覚刺激、電気刺激、磁気刺激又は体性感覚刺激の１つ以上を含む、請求項１３に記載のシステム。
【請求項１８】
出力信号を生成する前記手段は、脳波図（ＥＥＧ）電極、眼電図（ＥＯＧ）電極、アクティグラフィセンサ、心電図（ＥＫＧ）電極、呼吸センサ、圧力センサ、バイタルサインカメラ、フォトプレチスモグラム（ＰＰＧ）センサ、温度センサ又は機能的近赤外（ｆＮＩＲ）センサの１つ以上を含む、請求項１３に記載のシステム。